(57)【要約】【課題】包装箱の圧縮強度を高めることが可能であり、展示状態での装飾性も向上する。【解決手段】多角形状をなす底壁１１の外周縁に本体側壁１２Ａ〜１２Ｄを立設した箱本体１０と、天壁２１の外周縁に蓋側壁２２Ａ〜２２Ｄを立設した蓋体２０とを備え、本体側壁１２Ａ〜１２Ｄの上端と天壁２１との間に所定の隙間を空けた状態で閉塞する包装箱に配設する支持部材４０であって、箱本体１０の本体側壁１２Ｂの上端縁上に位置決め手段（挟持面５０，５１）によって配設する突出部４２と、突出部４２に一体的に設けられ箱本体１０内の商品（瓶容器１）上に位置して商品の浮き上がりを防止する抑止部５５とを備えた構成する。【選択図】図１
2006290378.tif 000002
【特許請求の範囲】
【請求項１】
多角形状をなす底壁の外周縁に本体側壁を立設した箱本体と、天壁の外周縁に前記本体側壁の外側に嵌合する蓋側壁を立設した蓋体とを備え、前記本体側壁の上端と天壁との間に所定の隙間を空けた状態で閉塞する包装箱に配設する支持部材であって、
前記箱本体の本体側壁の上端縁上に位置決め手段によって配設する突出部と、該突出部に一体的に設けられ前記箱本体内の商品上に位置して該商品の浮き上がりを防止する抑止部とを備えたことを特徴とする包装箱の支持部材。
【請求項２】
前記突出部から抑止部にかけて延び、該抑止部に対して下向きの抑止力を付与する弾性部を更に設けたことを特徴とする請求項１に記載の包装箱の支持部材。
【発明の詳細な説明】
【技術分野】
【０００１】
本発明は、主にギフト用の包装箱の支持部材に関するものである。
【背景技術】
【０００２】
従来、ギフト商品を収容して展示および搬送する場合、上端開口の箱本体と、該箱本体とは別体の下端開口の蓋体とからなる包装箱が使用される。この包装箱は、蓋体を開けて箱本体に収容させた状態で商品を展示する際に、購入者が商品を確認し易くするために、箱本体の側壁を商品より低くし、その商品の一部が箱本体から露出するように構成している。
【０００３】
本発明の包装箱に関連する先行技術文献情報としては次のものがある。
【０００４】
【特許文献１】実公昭６３−１３１５３号公報
【０００５】
この特許文献１では、蓋体の天壁の周囲に形成する側壁を２重壁で構成し、隣接する側壁の内側に位置する内面部に係止段部が設けられている。そして、この蓋体を組み立てる際には、前記係止段部を、隣接する側壁の外側に位置する外面部へ貼着することにより、該係止段部を隣接する側壁間に斜めに架け渡すように位置させる構成としている。そのため、この蓋によって箱本体を閉塞した場合、前記係止段部が箱本体の上端に係止することにより、商品に蓋の天壁が当接しないように構成することができる。
【０００６】
しかしながら、ギフト商品のなかには、ガラス製の瓶にアルコールなどの液体を収容した重いものも存在しており、このように重い商品を収容した包装箱を積み重ねた場合には、前記係止段部が圧縮に耐えられずに潰れるという問題がある。この場合、座屈によって包装箱の外観が悪くなるという問題がある。
【発明の開示】
【発明が解決しようとする課題】
【０００７】
本発明では、圧縮強度を高めることが可能であり、展示状態での装飾性をも向上できる包装箱の支持部材を提供することを課題とするものである。
【課題を解決するための手段】
【０００８】
前記課題を解決するため、本発明の包装箱の支持部材は、多角形状をなす底壁の外周縁に本体側壁を立設した箱本体と、天壁の外周縁に前記本体側壁の外側に嵌合する蓋側壁を立設した蓋体とを備え、前記本体側壁の上端と天壁との間に所定の隙間を空けた状態で閉塞する包装箱に配設する支持部材であって、前記箱本体の本体側壁の上端縁上に位置決め手段によって配設する突出部と、該突出部に一体的に設けられ前記箱本体内の商品上に位置して該商品の浮き上がりを防止する抑止部とを備えた構成としている。
【０００９】
ここで、突出部に抑止部を一体的に設けるとは、連続した一枚のブランクとして打ち抜く構成、および、別体のブランクとして打ち抜いた後に貼着する構成の両方を含む。また、蓋体は、その天壁と本体側壁の上端との間に所定の隙間を空けた状態で閉塞するために、例えば、隣接する蓋側壁の上部に内向きに突出するように設けた係止段部からなる空間付与手段を一体に設けることにより、包装箱自体の部品点数を削減したものである。
【００１０】
前記包装箱は、支持部材の突出部に蓋体の天壁が当接した状態で閉塞状態を維持する。そのため、閉塞状態の包装箱に圧縮力が加わった場合の圧縮強度を高めることができ、座屈によって包装箱の美観を損ねることを防止できる。しかも、支持部材には、収容した商品の浮き上がりを防止するための抑止部が設けられているため、包装箱内部で商品が移動することに伴う商品の汚れや破損を確実に防止できる。
【００１１】
この包装箱の支持部材では、前記突出部から抑止部にかけて延び、該抑止部に対して下向きの抑止力を付与する弾性部を更に設けることが好ましい。このようにすれば、内部の商品の移動を確実に防止できる。
【発明の効果】
【００１２】
本発明の包装箱の支持部材では、支持部材の突出部に蓋体の天壁が当接した状態で閉塞状態を維持するため、包装箱の圧縮強度を高めることができ、座屈によって美観を損ねることを防止できる。しかも、支持部材には、商品の浮き上がりを防止する抑止部が設けられているため、摩擦により商品が汚れたり、破損することを防止できる。
【発明を実施するための最良の形態】
【００１３】
以下、本発明の実施の形態を図面に従って説明する。
【００１４】
図１から図６は、本発明の実施形態に係る支持部材４０を適用した包装箱を示す。この包装箱は、商品として２本の瓶容器１，１を収容するもので、上端開口の箱本体１０と、該箱本体１０を閉塞する下端開口の蓋体２０とを備え、その内部に中敷き部材３０を配設するとともに、支持部材４０を配設したものである。
【００１５】
まず、図１および図４に示すように、商品である瓶容器１は、胴２と、該胴２より断面積が小さい首３を有し、その首３の先端の注口を蓋４により閉塞したものである。この瓶容器１の内部には、例えばアルコールなどの液体が収容され、１本で約２ｋｇの重量を有するギフト商品のなかでは比較的重いものである。
【００１６】
図１および図２に示すように、前記箱本体１０は段ボール紙製であり、長方形状をなす底壁１１を備え、該底壁１１の各外周縁に４方を囲繞する周壁を構成する本体側壁１２Ａ〜１２Ｄを立設したものである。各本体側壁１２Ａ〜１２Ｄは、底壁１１に連続する外側面１３と、該外側面１３に連続する上端面１４と、該上端面１４に連続して内側に折り返される内側面１５とを備えた所謂額縁状の２重壁からなる。また、各本体側壁１２Ａ〜１２Ｄは、瓶容器１を内部に収容した状態での全高より低い高さに設定されている。
【００１７】
前記蓋体２０は箱本体１０と同様の段ボール紙製であり、箱本体１０の外形と同一形状の天壁２１を備え、該天壁２１の各外周縁に、本体側壁１２の外側に嵌合する周壁を構成する蓋側壁２２Ａ〜２２Ｄを立設したものである。各蓋側壁２２Ａ〜２２Ｄのうち、対向する一対の蓋側壁２２Ａ，２２Ｃには、隣接する蓋側壁２２Ｂ，２２Ｄに貼着するための糊代部２３が設けられている。この糊代部２３は、蓋側壁２２Ａ，２２Ｃにおいて、下側領域のみを貼着する寸法で形成されている。
【００１８】
そして、この蓋体２０には、前記箱本体１０に外嵌させた閉塞状態で、本体側壁１２Ａ〜１２Ｄの上端と天壁２１との間に所定の空間を空けた状態に維持するための空間付与手段が一体に設けられている。本実施形態の空間付与手段は、隣接する蓋側壁２２Ａ〜２２Ｄの稜部において、糊代部２３の上方から内向きに三角形状に突出する係止段部２４からなる。具体的には、この係止段部２４は、各蓋側壁２２Ａ〜２２Ｄの隅に連設した正方形状部分を内向きに折り込むようにして、各糊代部２３を隣接する蓋側壁２２Ｂ，２２Ｄに貼着することにより形成される。
【００１９】
前記中敷き部材３０は段ボール紙製であり、中央部に位置する仕切壁部３１Ａ，３１Ｂと、これらの両側に連設した底壁部３２Ａ，３２Ｂと、これら底壁部３２Ａ，３２Ｂの一端に位置する位置決め部３３Ａ，３３Ｂとからなる。前記仕切壁部３１Ａ，３１Ｂおよび底壁部３２Ａ，３２Ｂは、直線的に連続するように設けられ、その境界部分には折曲線が設けられている。前記位置決め部３３Ａ，３３Ｂは、一方の位置決め部３３Ａが底壁部３２Ｂに連設され、他方の位置決め部３３Ｂを重畳するように折り曲げることにより形成される。これら位置決め部３３Ａ，３３Ｂには、前記瓶容器１の先端である蓋４の周囲を位置決め保持するための溝３４が設けられている。
【００２０】
本発明の支持部材４０は、前記包装箱の圧縮強度を向上するための支持部材本体４１と、装飾性を高めるための装飾部材６０とからなる。
【００２１】
前記支持部材本体４１はボール紙（単紙）製であり、前記本体側壁１２Ｂの上端縁上に配設する突出部４２と、該突出部４２を本体側壁１２Ｂに位置決めする位置決め手段と、箱本体１０内の商品の浮き上がりを防止する抑止部５５とを備えたものである。
【００２２】
具体的には、支持部材本体４１は、図５（Ａ），（Ｂ），（Ｃ）に示すように、その上部に突出部４２を構成する外壁面４３と上壁面４４と内壁面４５とを備え、これらの境界部分に肉厚を圧縮するように罫を入れて形成した折曲線４６が設けられている。また、内壁面４５の両側には、外壁面４３との間の側部を閉塞する閉塞面４７が連設されるとともに、各閉塞面４７に外壁面４３に貼着するための糊代部４８が連結され、その各境界部分には前記と同様の折曲線４９が設けられている。
【００２３】
前記突出部４２を配設するための位置決め手段は、外壁面４３に連設した第１挟持面５０と、内壁面４５に連設した矩形状の第２挟持面５１とからなり、これら挟持面５０，５１と各壁面４３，４５との境界部分には、何ら折曲線は設けていない。第１挟持面５０は、外壁面４３の中央より半円形状に突出したもので、箱本体１０の本体側壁１２Ｂの外側面１３の外方に配置される。また、第２挟持面５１は、突出部４２と同一幅で延びるもので、その突出寸法は、本体側壁１２Ｂの高さより若干小さくなるように設定されている。また、この第２挟持面５１の下端両側には、差し込み作業性を向上するために切り欠かれ、傾斜縁５２が形成されている。
【００２４】
前記抑止部５５は、突出部４２の下部から略水平方向に突出するもので、前記第２挟持面５１と対称形状をなす連続面５３を介して一体に連設されている。まず、この連続面５３は、第２挟持面５１と重畳状態で接着剤により貼着されるもので、その境界部分には所定間隔をもって複数の切断線が直線的に位置するミシン目状折曲線５４が設けられている。
【００２５】
前記抑止部５５は、箱本体１０の本体側壁１２Ａ，１２Ｃにかけて瓶容器１の上部を閉塞するように突出するもので、前記連続面５３との境界部分には折曲線５６が設けられている。この抑止部５５は、装飾性を加味して略Ｗ字形状の先端形状をなすように形成され、その各窪み端部５７，５７が瓶容器１，１の略中心に位置される。
【００２６】
本実施形態では、前記支持部材本体４１に後述する装飾部材６０を貼着するために、前記突出部４２の内壁面４５にＬ字形状をなす一対の第１目印部５８，５８が設けられ、前記抑止部５５に一文字形状をなす一対の第２目印部５９，５９が設けられている。これら目印部５８，５９は、その肉厚の一部のみを切断することにより形成されている。
【００２７】
前記装飾部材６０はボール紙（単紙）製であり、前記支持部材本体４１への貼着状態で突出部４２から抑止部５５にかけて延びる第１装飾部６１と、該第１装飾部６１から突出する第２装飾部６５とを備えたものである。
【００２８】
具体的には、装飾部材６０は、図６（Ａ），（Ｂ），（Ｃ）に示すように、略菱形形状をなす第１装飾部６１の上端に突出部４２に貼着するための糊代部６２が連設され、その境界部分に折曲線６３が設けられている。この第１装飾部６１の両端角部には、装飾性を加味してＶ字形状の切欠部６４が設けられている。前記第１装飾部６１の下端には、帯状に延びる第２装飾部６５が連設され、その境界部分には折曲線６６が設けられている。
【００２９】
なお、本実施形態では、支持部材本体４１において、内壁面４５の第１目印部５８の上端から該内壁面４５の下端までの寸法Ｓ１、および、抑止部５５の第２目印部５９の上端から該抑止部５５の上端までの寸法Ｓ２を加算した寸法（Ｓ１＋Ｓ２）と、装飾部材６０において、第１装飾部６１の上端から下端までの寸法Ｓ３とは、略同一になるように設定されている。
【００３０】
次に、前記支持部材本体４１および装飾部材６０からなる支持部材４０の組付作業について具体的に説明する。
【００３１】
まず、支持部材本体４１をミシン目状折曲線５４に沿って折り曲げて、第２挟持面５１と連続面５３とを重畳させ、これらを接着剤により貼着する。また、内壁面４５に対して閉塞面４７および糊代部４８を折り曲げるとともに、突出部４２を構成する外壁面４３、上壁面４４および内壁面４５を折り曲げ、糊代部４８を外壁面４３の内面に接着剤により貼着する。
【００３２】
ついで、装飾部材６０の第１装飾部６１に対して糊代部６２を折り曲げた状態で、第１装飾部６１の上端を支持部材本体４１の第１目印部５８に一致させ、糊代部６２を内壁面４５に接着剤により貼着する。また、第１装飾部６１の下端を支持部材本体４１の第２目印部５９に一致させ、第２装飾部６５の基端を抑止部５５の中央先端に接着剤により貼着する。
【００３３】
さらに、支持部材本体４１において、外壁面４３、上壁面４４、内壁面４５および閉塞面４７により囲繞された下端開口の突出部４２の内部に、同一形状をなす肉厚が厚い段ボール紙製の中芯６７を配設し、接着剤により貼着する。
【００３４】
これにより、支持部材４０は、前記各部の寸法（Ｓ１，Ｓ２，Ｓ３）設定により、非使用状態で第２挟持面５１、連続面５３、抑止部５５および第１装飾部６１が重畳し、保管および搬送に便利なフラットに折畳み可能な状態で組み立てられる。
【００３５】
次に、前記支持部材４０を用いた包装箱による瓶容器１の包装作業について具体的に説明する。
【００３６】
まず、図２に示す非組付状態で、箱本体１０の内部に中敷き部材３０を配設する。ついで、この中敷き部材３０によって区画された箱本体１０の２つの収容部に商品である瓶容器１を配置する。この際、図３に示すように、瓶容器１は、それぞれの蓋４を中敷き部材３０の溝３４に嵌めることにより、本体側壁１２Ａ，１２Ｃ間である横方向の位置決めをする。
【００３７】
ついで、箱本体１０の上部に支持部材４０を配置し、位置決め手段を構成する第２挟持面５１を貼着した連続面５３と一緒に、箱本体１０の本体側壁１２Ｂと中敷き部材３０の位置決め部３３Ｂの間に挿入する。この際、位置決め手段を構成する他の第１挟持面５０は、箱本体１０の本体側壁１２Ｂの外面側に位置させる。
【００３８】
これにより、図１および図４に示すように、支持部材４０の突出部４２が箱本体１０の本体側壁１２Ｂ上に配置され、位置決め手段を構成する挟持面５０，５１により本体側壁１２Ｂを挟み込んでこの状態を位置決め保持する。また、支持部材４０の抑止部５５および第２装飾部６５は、箱本体１０の内部の瓶容器１の上部に載置されることにより、突出部４２に対して略９０度屈曲した状態をなす。その結果、また、装飾性を加味した形状の抑止部５５が瓶容器１の首３の上を覆う。また、第１装飾部６１が突出部４２から抑止部５５にかけて弾性的に湾曲した状態で立体的に突出する。さらに、第２装飾部６５が一対の瓶容器１，１間に熨斗のように延びる。そのため、この状態で展示した場合には、非常に装飾性が豊かなイメージを購入者に与えることができる。
【００３９】
一方、この状態で箱本体１０に対して蓋体２０を被せて閉塞すると、該蓋体２０に形成した空間付与手段である係止段部２４が箱本体１０の本体側壁１２Ａ〜１２Ｄのコーナー部分に当接する。また、支持部材４０の突出部４２が蓋体２０の天壁２１に当接する。これにより、箱本体１０から突出するように収容されている瓶容器１，１に対して、蓋体２０の天壁２１を当接させることなく閉塞できる。
【００４０】
このように、本実施形態の包装箱は、蓋体２０に形成した係止段部２４と、支持部材４０の突出部４２とが相俟って、閉塞状態を維持する。そのため、この包装箱を積み重ねることにより圧縮力が加わった場合の圧縮強度を高めることができ、座屈によって包装箱の美観を損ねることを防止できる。
【００４１】
また、本実施形態において、包装箱に収容する商品は、一端の断面積が小さく、荷重に偏りが生じる瓶容器１である。そして、この瓶容器１は、箱本体１０の本体側壁１２Ａ，１２Ｃおよび中敷き部材３０により横方向の移動は殆ど無いが、首３が上下に移動し易いものである。しかし、本実施形態では、支持部材４０には、その浮き上がりを防止する抑止部５５が設けられているため、包装箱内部で商品が移動することに伴う異音、商品の汚れ、および、破損を確実に防止できる。しかも、本実施形態では、第１装飾部６１が突出部４２から抑止部５５にかけて湾曲して延びている。そして、この第１装飾部６１は、抑止部５５に対して下向きの抑止力を付与する弾性部の役割をなすため、瓶容器１の移動を確実に防止できる。
【００４２】
なお、本発明の包装箱の支持部材４０は、前記実施形態の構成に限定されるものではなく、種々の変更が可能である。
【００４３】
例えば、前記実施形態では、２本の瓶容器１，１を包装箱に収容させたが、１本でも良いうえ、３本以上であってもよい。勿論、収容する商品は瓶容器１に限られず、あらゆるギフト商品にも適用可能であり、同様の作用および効果を得ることができる。
【００４４】
また、前記実施形態では、支持部材４０の位置決め手段を一対の挟持面５０，５１により構成したが、本体側壁１２Ｂの上端面１４にスリットを設けるとともに、支持部材本体４１に第２挟持面５１と同様の構成で１つの差込片を設け、この差込片を前記スリットに差し込む構成としてもよい。即ち、位置決め手段とは、矩形状をなす突出部４２を箱本体１０の本体側壁１２Ｂに位置決め可能な構成であれば全ての構成を含む。
【００４５】
さらに、前記実施形態では、突出部４２と抑止部５５とを連続した一枚のブランクとして一体に設けたが、別のブランクとしてそれぞれ設けて一体的に貼着してもよい。即ち、本発明において、突出部４２に抑止部５５を一体的に設けるとは、連続した一枚のブランクとして打ち抜く構成、および、別体のブランクとして打ち抜いた後に貼着する構成の両方を含む。
【００４６】
さらにまた、前記実施形態では、箱本体１０において、１つの本体側壁１２Ｂにのみ支持部材４０を配設したが、対向する本体側壁１２Ｂ，１２Ｄに配設してもよいうえ、全ての本体側壁１２Ａ〜１２Ｄに配設してもよい。
【００４７】
また、前記実施形態では、平面視矩形状をなすように箱本体１０および蓋体２０を形成したが、これらは平面視八角形状であってもよく、本発明の支持部材４０は多角形状の包装箱であれば適用可能であり、同様の作用および効果を得ることができる。
【００４８】
さらに、前記実施形態では、箱本体１０と蓋体２０との空間付与手段を、蓋体２０に一体形成することにより、包装箱自体の部品点数を削減できるように構成したが、その構成は前記実施形態に示す係止段部２４の構成に限られず、希望に応じて適用可能である。勿論、別体のスペーサにより構成してもよい。
【図面の簡単な説明】
【００４９】
【図１】本発明に係る実施形態の支持部材を適用した包装箱を示す断面図である。
【図２】包装箱の分解斜視図である。
【図３】箱本体に支持部材を配設する状態を示す斜視図である。
【図４】蓋体を開いた状態を示す斜視図である。
【図５】支持部材本体を示し、（Ａ）はブランクの平面図、（Ｂ）は前方斜視図、（Ｃ）は後方斜視図である。
【図６】装飾部材を示し、（Ａ）はブランクの平面図、（Ｂ）は前方斜視図、（Ｃ）は後方斜視図である。
【符号の説明】
【００５０】
１…瓶容器（商品）
１０…箱本体
１１…底壁
１２Ａ〜１２Ｄ…本体側壁
２０…蓋体
２１…天壁
２２Ａ〜２２Ｄ…蓋側壁
２４…係止段部（空間付与手段）
３０…中敷き部材
４０…支持部材
４１…支持部材本体
４２…突出部
５０，５１…挟持面（位置決め手段）
５５…抑止部
６０…装飾部材
６１…第１装飾部（弾性部）
６５…第２装飾部
６７…中芯
【図１】
2006290378.tif 000003
【図２】
2006290378.tif 000004
【図３】
2006290378.tif 000005
【図４】
2006290378.tif 000006
【図５】
2006290378.tif 000007
【図６】
2006290378.tif 000008